(57)【要約】【課題】    自動販売機本体内に投入する商品投入を迅速且つ容易に作業をすることができる自動販売機を提供する。【解決手段】    自動販売機Ａは、商品ラックへ商品を投入する商品投入口１１を備えた自動販売機本体１と、この自動販売機本体１に回動自在に支持される扉２と、この扉２の裏面又は自動販売機本体１に接着剤を介して接着されたベース１３と、このベース１３に接着されると共に、複数枚積層されたラベル１４と、このラベル１４は、商品投入口１１の部位を示す符号を記入する商品投入口符号記入スペース１４Ａと、この商品投入口符号記入スペース１４Ａに隣接して投入商品を特定する名称を記入する投入商品特定名称記入スペース１４ａとを備え、積層された複数枚のラベル１４は、各々容易に剥がれるように接着剤を介して接着されて積層されているものである。【選択図】    図１
0003111637.tif 000002
【実用新案登録請求の範囲】
【請求項１】
商品ラックへ商品を投入する商品投入口を備えた自動販売機本体と、
この自動販売機本体に回動自在に支持される扉と、
この扉の裏面又は前記自動販売機本体に接着剤を介して接着されたベースと  、
このベースに接着されると共に、複数枚積層されたラベルと、
このラベルは、前記商品投入口の部位を示す符号を記入する商品投入口符号記入スペースと、この商品投入口符号記入スペースに隣接して投入商品を特定する名称を記入する投入商品特定名称記入スペースとを備え、
前記積層された複数枚のラベルは、各々容易に剥がれるように接着剤を介して接着されて積層されている
ことを特徴とする自動販売機。
【請求項２】
商品ラックへ商品を投入する商品投入口を備えた自動販売機本体と、
この自動販売機本体に回動自在に支持される扉と、
この扉の裏面又は前記自動販売機本体に接着剤を介して接着されたベースと  、
このベースに接着されると共に、複数枚積層されたラベルと、
このラベルは、少なくとも、前記商品投入口の部位を示す符号を記入する第１の商品投入口符号記入スペースと、この第１の商品投入口符号記入スペースに隣接して投入商品を特定する名称を記入する第１の投入商品特定名称記入スペースと、前記商品投入口の部位を示す符号を記入する第２の商品投入口符号記入スペースと、この第２の商品投入口符号記入スペースに隣接して投入商品を特定する名称を記入する第２の投入商品特定名称記入スペースとを備え、
前記ラベルの隣接した前記第１の商品投入口符号記入スペース、前記第１の投入商品特定名称記入スペースと、隣接した前記第２の商品投入口符号記入スペース、前記第２の投入商品特定名称記入スペースとの間に切離し用のミシン目が設けられ、
前記積層された複数枚のラベルは、各々容易に剥がれるように接着剤を介して接着されて積層されている
ことを特徴とする自動販売機。
【請求項３】
商品ラックへ商品を投入する商品投入口を備えた自動販売機本体と、
この自動販売機本体に回動自在に支持される扉と、
この扉の裏面又は前記自動販売機本体に接着剤を介して接着されたベースと  、
このベースに接着されると共に、複数枚積層されたラベルと、
このラベルは、前記商品投入口の部位を示す符号を記入する商品投入口符号記入スペースと、この商品投入口符号記入スペースに隣接して投入商品を特定する名称を記入する投入商品特定名称記入スペースとを備え、
前記複数枚積層されたラベルは、前記ベースに接着されると共に、間隔をおいて複数設けられ、
前記積層された複数枚のラベルは、各々容易に剥がれるように接着剤を介して接着されて積層されている
ことを特徴とする自動販売機。
【請求項４】
商品ラックへ商品を投入する商品投入口を備えた自動販売機本体と、
この自動販売機本体に回動自在に支持される扉と、
この扉の裏面又は前記自動販売機本体に接着剤を介して接着された複数枚積層されたラベルと、
このラベルは、少なくとも、前記商品投入口の部位を示す符号を記入する第１の商品投入口符号記入スペースと、この第１の商品投入口符号記入スペースに隣接して投入商品を特定する名称を記入する第１の投入商品特定名称記入スペースと、前記商品投入口の部位を示す符号を記入する第２の商品投入口符号記入スペースと、この第２の商品投入口符号記入スペースに隣接して投入商品を特定する名称を記入する第２の投入商品特定名称記入スペースとを備え、
前記ラベルの隣接した前記第１の商品投入口符号記入スペース、前記第１の投入商品特定名称記入スペースと、隣接した前記第２の商品投入口符号記入スペース、前記第２の投入商品特定名称記入スペースとの間に切離し用のミシン目が設けられ、
前記積層された複数枚のラベルは、各々容易に剥がれるように接着剤を介して接着されて積層されている
ことを特徴とする自動販売機。
【請求項５】
商品ラックへ商品を投入する商品投入口を備えた自動販売機本体と、
この自動販売機本体に回動自在に支持される扉と、
この扉の裏面又は前記自動販売機本体に接着剤を介して接着された複数枚積層されたラベルと、
このラベルは、前記商品投入口の部位を示す符号を記入する商品投入口符号記入スペースと、この商品投入口符号記入スペースに隣接して投入商品を特定する名称を記入する投入商品特定名称記入スペースとを備え、
前記複数枚積層されたラベルは、前記扉の裏面又は前記自動販売機本体に接着されると共に、間隔をおいて複数設けられ、
前記積層された複数枚のラベルは、各々容易に剥がれるように接着剤を介して接着されて積層されている
ことを特徴とする自動販売機。
【請求項６】
商品ラックへ商品を投入する商品投入口を備えた自動販売機本体と、
この自動販売機本体に回動自在に支持される扉と、
この扉の裏面又は前記自動販売機本体に接着剤を介して接着され、前記商品投入口の部位を示す符号を、少なくとも、二つ記入したベースと、
このベースに接着されると共に、複数枚積層されたラベルと、
このラベルは、少なくとも、投入商品を特定する名称を記入する第１の投入商品特定名称記入スペースと、この第１の投入商品特定名称記入スペースに隣接し、投入商品を特定する名称を記入する第２の投入商品特定名称記入スペースとを備え、
前記ラベルの前記第１の投入商品特定名称記入スペースと前記第２の投入商品特定名称記入スペースとの間に切離し用のミシン目が設けられ、
前記複数枚積層されたラベルは、前記ベースに接着されると共に、前記ベースに記入した一つの前記商品投入口の部位を示す符号に前記第１の投入商品特定名称記入スペースが、前記ベースに記入した他の一つの前記商品投入口の部位を示す符号に前記第２の投入商品特定名称記入スペースが、それぞれ隣接して設けられ、
前記積層された複数枚のラベルは、各々容易に剥がれるように接着剤を介して接着されて積層されている
ことを特徴とする自動販売機。
【請求項７】
商品ラックへ商品を投入する商品投入口を備えた自動販売機本体と、
この自動販売機本体に回動自在に支持される扉と、
この扉の裏面又は前記自動販売機本体に接着剤を介して接着され、前記商品投入口の部位を示す符号を複数記入したベースと、
このベースに接着されると共に、複数枚積層されたラベルと、
このラベルは、投入商品を特定する名称を記入する投入商品特定名称記入スペースとを備え、
前記複数枚積層されたラベルは、前記ベースに接着されると共に、前記ベースに記入した複数の前記商品投入口の部位を示す符号毎に隣接して設けられ、
前記積層された複数枚のラベルは、各々容易に剥がれるように接着剤を介して接着されて積層されている
ことを特徴とする自動販売機。
【請求項８】
ベースは、自動販売機本体の商品投入口より下方に位置する部位に接着剤を介して接着されていることを特徴とする請求項１、２、３、６又は７記載の自動販売機。
【請求項９】
複数枚積層されたラベルは、隣接するラベル同士が略全体に亘って接着されると共に、捲り易いように一部に接着されない部分を残して形成されていることを特徴とする請求項１〜７記載の自動販売機。
【請求項１０】
複数枚積層されたラベルの一枚の形状は、第１の長辺、第１の短辺、第２の長辺、第２の短辺からなる長方形であり、
前記積層されたラベルの前記第１の長辺同士が接着された第１の接着部と、
前記積層されたラベルの前記第２の長辺同士が接着された第２の接着部とを有し、前記第１の接着部、前記第２の接着部の内、少なくとも、前記第１の接着部に接着されない部分を残していることを特徴とする請求項１〜７記載の自動販売機。
【考案の詳細な説明】
【技術分野】
【０００１】
本考案は、自動販売機に係り、特に、自動販売機本体内に投入する商品投入を迅速且つ容易に作業をすることができる自動販売機に関する。
【背景技術】
【０００２】
従来、作業者が商品の投入作業を容易にするために、自動販売機の商品ラックへ商品を投入する複数の商品投入口の下方には、商品投入口毎に商品ラックへ入れる商品の銘柄等を記入するメモ用紙が貼り付けられている。
【考案の開示】
【考案が解決しようとする課題】
【０００３】
しかしながら、自動販売機に投入する商品にあっては、季節、商品の売れ行き等により、投入する商品の入れ替えも頻繁に行われ、上述したメモ用紙が再三の記入で一杯となって見づらく、メモ用紙を新たに取り付けようとしても、作業者は、接着剤が塗布されたメモ用紙を常時携帯していない場合がある。
その結果、再三の記入で一杯となったメモ用紙を見ながら作業することとなり、商品投入口毎に投入商品を記載したメモの確認作業に手間取り、自動販売機の商品投入作業がしづらいという問題点があった。
本考案は、前記した問題点を除去するようにした自動販売機を提供することを目的としている。
【課題を解決するための手段】
【０００４】
前記した目的を達成するための請求項１記載の自動販売機は、商品ラックへ商品を投入する商品投入口を備えた自動販売機本体と、この自動販売機本体に回動自在に支持される扉と、この扉の裏面又は前記自動販売機本体に接着剤を介して接着されたベースと、このベースに接着されると共に、複数枚積層されたラベルと、このラベルは、前記商品投入口の部位を示す符号を記入する商品投入口符号記入スペースと、この商品投入口符号記入スペースに隣接して投入商品を特定する名称を記入する投入商品特定名称記入スペースとを備え、前記積層された複数枚のラベルは、各々容易に剥がれるように接着剤を介して接着されて積層されているものである。
【０００５】
また、請求項２記載の自動販売機は、商品ラックへ商品を投入する商品投入口を備えた自動販売機本体と、この自動販売機本体に回動自在に支持される扉と  、この扉の裏面又は前記自動販売機本体に接着剤を介して接着されたベースと  、このベースに接着されると共に、複数枚積層されたラベルと、このラベルは  、少なくとも、前記商品投入口の部位を示す符号を記入する第１の商品投入口符号記入スペースと、この第１の商品投入口符号記入スペースに隣接して投入商品を特定する名称を記入する第１の投入商品特定名称記入スペースと、前記商品投入口の部位を示す符号を記入する第２の商品投入口符号記入スペースと、この第２の商品投入口符号記入スペースに隣接して投入商品を特定する名称を記入する第２の投入商品特定名称記入スペースとを備え、前記ラベルの隣接した前記第１の商品投入口符号記入スペース、前記第１の投入商品特定名称記入スペースと  、隣接した前記第２の商品投入口符号記入スペース、前記第２の投入商品特定名称記入スペースとの間に切離し用のミシン目が設けられ、前記積層された複数枚のラベルは、各々容易に剥がれるように接着剤を介して接着されて積層されているものである。
【０００６】
また、請求項３記載の自動販売機は、商品ラックへ商品を投入する商品投入口を備えた自動販売機本体と、この自動販売機本体に回動自在に支持される扉と  、この扉の裏面又は前記自動販売機本体に接着剤を介して接着されたベースと  、このベースに接着されると共に、複数枚積層されたラベルと、このラベルは  、前記商品投入口の部位を示す符号を記入する商品投入口符号記入スペースと、この商品投入口符号記入スペースに隣接して投入商品を特定する名称を記入する投入商品特定名称記入スペースとを備え、前記複数枚積層されたラベルは、前記ベースに接着されると共に、間隔をおいて複数設けられ、前記積層された複数枚のラベルは、各々容易に剥がれるように接着剤を介して接着されて積層されているものである。
【０００７】
また、請求項４記載の自動販売機は、商品ラックへ商品を投入する商品投入口を備えた自動販売機本体と、この自動販売機本体に回動自在に支持される扉と  、この扉の裏面又は前記自動販売機本体に接着剤を介して接着された複数枚積層されたラベルと、このラベルは、少なくとも、前記商品投入口の部位を示す符号を記入する第１の商品投入口符号記入スペースと、この第１の商品投入口符号記入スペースに隣接して投入商品を特定する名称を記入する第１の投入商品特定名称記入スペースと、前記商品投入口の部位を示す符号を記入する第２の商品投入口符号記入スペースと、この第２の商品投入口符号記入スペースに隣接して投入商品を特定する名称を記入する第２の投入商品特定名称記入スペースとを備え  、前記ラベルの隣接した前記第１の商品投入口符号記入スペース、前記第１の投入商品特定名称記入スペースと、隣接した前記第２の商品投入口符号記入スペース、前記第２の投入商品特定名称記入スペースとの間に切離し用のミシン目が設けられ、前記積層された複数枚のラベルは、各々容易に剥がれるように接着剤を介して接着されて積層されているものである。
【０００８】
また、請求項５記載の自動販売機は、商品ラックへ商品を投入する商品投入口を備えた自動販売機本体と、この自動販売機本体に回動自在に支持される扉と  、この扉の裏面又は前記自動販売機本体に接着剤を介して接着された複数枚積層されたラベルと、このラベルは、前記商品投入口の部位を示す符号を記入する商品投入口符号記入スペースと、この商品投入口符号記入スペースに隣接して投入商品を特定する名称を記入する投入商品特定名称記入スペースとを備え、前記複数枚積層されたラベルは、前記扉の裏面又は前記自動販売機本体に接着されると共に、間隔をおいて複数設けられ、前記積層された複数枚のラベルは、各々容易に剥がれるように接着剤を介して接着されて積層されているものである。
【０００９】
また、請求項６記載の自動販売機は、商品ラックへ商品を投入する商品投入口を備えた自動販売機本体と、この自動販売機本体に回動自在に支持される扉と  、この扉の裏面又は前記自動販売機本体に接着剤を介して接着され、前記商品投入口の部位を示す符号を、少なくとも、二つ記入したベースと、このベースに接着されると共に、複数枚積層されたラベルと、このラベルは、少なくとも、投入商品を特定する名称を記入する第１の投入商品特定名称記入スペースと、この第１の投入商品特定名称記入スペースに隣接し、投入商品を特定する名称を記入する第２の投入商品特定名称記入スペースとを備え、前記ラベルの前記第１の投入商品特定名称記入スペースと前記第２の投入商品特定名称記入スペースとの間に切離し用のミシン目が設けられ、前記複数枚積層されたラベルは、前記ベースに接着されると共に、前記ベースに記入した一つの前記商品投入口の部位を示す符号に前記第１の投入商品特定名称記入スペースが、前記ベースに記入した他の一つの前記商品投入口の部位を示す符号に前記第２の投入商品特定名称記入スペースが、それぞれ隣接して設けられ、前記積層された複数枚のラベルは、各々容易に剥がれるように接着剤を介して接着されて積層されているものである。
【００１０】
また、請求項７記載の自動販売機は、商品ラックへ商品を投入する商品投入口を備えた自動販売機本体と、この自動販売機本体に回動自在に支持される扉と  、この扉の裏面又は前記自動販売機本体に接着剤を介して接着され、前記商品投入口の部位を示す符号を複数記入したベースと、このベースに接着されると共に、複数枚積層されたラベルと、このラベルは、投入商品を特定する名称を記入する投入商品特定名称記入スペースとを備え、前記複数枚積層されたラベルは、前記ベースに接着されると共に、前記ベースに記入した複数の前記商品投入口の部位を示す符号毎に隣接して設けられ、前記積層された複数枚のラベルは、各々容易に剥がれるように接着剤を介して接着されて積層されているものである。
【００１１】
また、請求項８記載の自動販売機は、請求項１、２、３、６又は７記載の自動販売機において、ベースは、自動販売機本体の商品投入口より下方に位置する部位に接着剤を介して接着されている。
【００１２】
また、請求項９記載の自動販売機は、請求項１〜７記載の自動販売機において、複数枚積層されたラベルは、隣接するラベル同士が略全体に亘って接着されると共に、捲り易いように一部に接着されない部分を残して形成されているものである。
【００１３】
また、請求項１０記載の自動販売機は、請求項１〜７記載の自動販売機において、複数枚積層されたラベルの一枚の形状は、第１の長辺、第１の短辺、第２の長辺、第２の短辺からなる長方形であり、前記積層されたラベルの前記第１の長辺同士が接着された第１の接着部と、前記積層されたラベルの前記第２の長辺同士が接着された第２の接着部とを有し、前記第１の接着部、前記第２の接着部の内、少なくとも、前記第１の接着部に接着されない部分を残しているものである。
【考案の効果】
【００１４】
請求項１記載の自動販売機によれば、商品投入口の部位を示す符号を記入する商品投入口符号記入スペースと、この商品投入口符号記入スペースに隣接して投入商品を特定する名称を記入する投入商品特定名称記入スペースとを備えたラベルを複数枚設けているため、ラベルがメモで一杯になった場合、作業者は、メモで一杯になったラベルを剥がすことにより、新たなラベルに、例えば、商品投入口の番号と、この商品投入口番号記入欄に対応した投入商品の銘柄を記入することにより、次回の商品投入作業の容易性を図ることができる。
【００１５】
なお、一杯になったラベルを剥がすと、新たなラベルに複数の商品投入口  の番号と、該複数の商品投入口番号記入欄に対応した投入商品の銘柄を複数記入しなければならない作業を伴う不具合を生じるが、請求項２記載の自動販売機によれば、ラベルに切離し用のミシン目が設けられているため、メモが一杯になったラベルだけを個別に切り離すと共に剥がすことことにより、上述した不具合を解消することができる。
【００１６】
上述と同様、一杯になったラベルを剥がすと、新たなラベルに複数の商品投入口の番号と、該複数の商品投入口番号記入欄に対応した投入商品の銘柄を複数記入しなければならない作業を伴う不具合を生じるが、請求項３記載の自動販売機によれば、複数枚積層されたラベルは、ベースに接着されると共に、間隔をおいて複数設けられ、前記積層された複数枚のラベルは、各々容易に剥がれるように接着剤を介して接着されて積層されているため、メモが一杯になったラベルだけを個別に剥がすことができるため、上述した不具合を解消することができる。  
【００１７】
なお、一杯になったラベルを剥がすと、新たなラベルに複数の商品投入口 の番号と、該複数の商品投入口番号記入欄に対応した投入商品の銘柄を複数記入しなければならない作業を伴う不具合を生じるが、請求項４記載の自動販売機によれば、ラベルに切離し用のミシン目が設けられているため、メモが一杯になったラベルだけを個別に切り離すと共に剥がすことことにより、上述した不具合を解消することができる。
【００１８】
上述と同様、一杯になったラベルを剥がすと、新たなラベルに複数の商品投入口の番号と、該複数の商品投入口番号記入欄に対応した投入商品の銘柄を複数記入しなければならない作業を伴う不具合を生じるが、請求項５記載の自動販売機によれば、複数枚積層されたラベルは、ベースに接着されると共に、間隔をおいて複数設けられ、前記積層された複数枚のラベルは、各々容易に剥がれるように接着剤を介して接着されて積層されているため、メモが一杯になったラベルだけを個別に剥がすことができるため、上述した不具合を解消することができる。
【００１９】
上述した請求項１乃至５記載の自動販売機にあっては、ラベルを剥がした際、新たなラベルに商品投入口の部位を示す符号を記入しなければならない不具合を生じるが、請求項６又は７記載の自動販売機にあっては、ベースに商品投入口の部位を示す符号を記入することにより前記した不具合を解消することができる。  
【００２０】
また、請求項９記載の自動販売機によれば、上述した請求項１〜７記載の考案の効果に加え、複数枚積層されたラベルは、隣接するラベル同士が略全体に亘って接着されると共に、捲り易いように一部に接着されない部分を残して形成されているため、捲り易いと共に、扉を開けて商品投入作業する際、複数枚積層されたラベルが風等により離脱するのを防ぐことができる。
【００２１】
また、請求項１０記載の自動販売機によれば、上述した請求項１〜７記載の考案の効果に加え、複数枚積層されたラベルの一枚の形状は、第１の長辺、第１の短辺、第２の長辺、第２の短辺からなる長方形であり、前記積層されたラベルの前記第１の長辺同士が接着された第１の接着部と、前記積層されたラベルの前記第２の長辺同士が接着された第２の接着部とを有し、前記第１の接着部、前記第２の接着部の内、少なくとも、前記第１の接着部に接着されない部分を残しているため、捲り易いと共に、扉を開けて商品投入作業する際、複数枚積層されたラベルが風等により離脱するのを防ぐことができる。
【考案を実施するための最良の形態】
【００２２】
本考案の一実施例の自動販売機を図面を参照して説明する。
図１乃至図４において、Ａは自動販売機で、自動販売機Ａは、概略的に、商品ラックへ商品を投入する商品投入口１１を備えた自動販売機本体１と、この自動販売機本体１に回動自在に支持される扉２とから構成されている。
【００２３】
自動販売機本体１の商品投入口１１より下方に位置する部位１２にベース（例えば、台紙）１３が接着剤を介して接着されている（図２乃至図４参照）。ベース１３が接着剤を介して接着されることにより、扉２を開けて商品ラックへ商品を投入する作業中、風に飛ばされることを防ぐことができる。
このベース１３には、複数枚積層されたラベル１４が接着され、該複数枚のラベル１４は、容易に剥がれるように接着剤を介して接着されて積層されている 。
そして、ラベル１４には、商品投入口１１の部位を示す符号を記入する商品  投入口符号記入スペース１４Ａ、１４Ｂ、１４Ｃ、１４Ｄ、１４Ｅと、この商品投入口符号記入スペース１４Ａ、１４Ｂ、１４Ｃ、１４Ｄ、１４Ｅに隣接して投入商品を特定する名称を記入する投入商品特定名称記入スペース１４ａ、１４ｂ、１４ｃ、１４ｄ、１４ｅとを備えている。
なお、場合により、投入商品特定名称記入スペース１４ａ、１４ｂ、１４ｃ  、１４ｄ、１４ｅに投入商品特定名称と共に、該投入商品の投入すべき本数、賞味期限等をも記入するようにしても良い。
【００２４】
商品投入口１１が、例えば、本実施例のように、複数（図２参照）あった  場合、商品投入口１１が、図２の右端部から下に向かって１、２、３、４、５とすれば、商品投入口符号は、例えば、図３に示すラベル１４の商品投入口符号記入スペース１４Ａ、１４Ｂ、１４Ｃ、１４Ｄ、１４Ｅに、縦に１、２、３、４、５と番号を付しても良い（また、１、２、３、４、５の代わりに、Ａ、Ｂ、Ｃ、Ｄ、Ｅとアルファベット文字を付しても良い。なお、商品投入口１１は、図２の右端部から左端部に向かっても設けられている。）。
また、投入商品特定名称は、例えば、商品名Ａ、商品名Ｂ、商名品Ｃ、商品名Ｄ、商品名Ｅであり、図３に示すラベル１４の○○○○○が付されている部分  、つまり、投入商品特定名称記入スペース１４ａ、１４ｂ、１４ｃ、１４ｄ、１４ｅに商品名を示す商品名Ａ、商品名Ｂ、商名品Ｃ、商品名Ｄ、商品名Ｅを付しても良い。
このように、ラベル１４に商品投入口１１の部位を示す符号及び投入商品を特定する名称を記入するのは、作業者が不足した商品を自動販売機に補充する際  、ラベル１４の記入事項を見て、不足した商品の商品投入口１１から商品を迅速に補充できるようにするためである。
また、季節、商品の売れ行き等により、投入する商品を変更する場合には、
余白スペースを利用して訂正する。余白スペースが利用できない場合、メモで一杯になったラベル１４を剥がすことにより、新たなラベル１４に、例えば、商品投入口の符号と、この商品投入口符号に対応した投入商品を特定する名称を記入することにより、次回の商品投入作業の容易性を図ることができる。
【００２５】
なお、メモで一杯になったラベル１４を剥がすと、新たなラベル１４に複数の商品投入口の符号と、該複数の商品投入口符号に対応した投入商品を特定する名称を複数記入しなければならない作業を伴う不具合を生じる。
この不具合を解消するために、図３及び図４に示すように、ラベル１４に切離し用のミシン目Ｌ１が設けられている。
即ち、ラベル１４には、少なくとも、ラベルの隣接した第１の商品投入口符号記入スペース１４Ａ、第１の投入商品特定名称記入スペース１４ａと、隣接した第２の商品投入口符号記入スペース１４Ｂ、第２の投入商品特定名称記入スペース１４ｂとの間に切離し用のミシン目Ｌ１が設けられている。
なお、本実施例では、第１の商品投入口符号記入スペース１４Ａ、第１の投入商品特定名称記入スペース１４ａと、第２の商品投入口符号記入スペース１４Ｂ、第２の投入商品特定名称記入スペース１４ｂとは、別に、ラベルの隣接した第２の商品投入口符号記入スペース１４Ｂ、第２の投入商品特定名称記入スペース１４ｂと、隣接した第３の商品投入口符号記入スペース１４Ｃ、第３の投入商品特定名称記入スペース１４ｃとの間に切離し用のミシン目Ｌ２が、ラベルの隣接した第３の商品投入口符号記入スペース１４Ｃ、第３の投入商品特定名称記入スペース１４ｃと、隣接した第４の商品投入口符号記入スペース１４Ｄ、第４の投入商品特定名称記入スペース１４ｄの間に切離し用のミシン目Ｌ３が、ラベルの隣接した第４の商品投入口符号記入スペース１４Ｄ、第４の投入商品特定名称記入スペース１４ｄと、隣接した第５の商品投入口符号記入スペース１４Ｅ、第５の投入商品特定名称記入スペース１４ｅの間に切離し用のミシン目Ｌ４が、それぞれ設けられている。
従って、ラベル１４に、商品投入口符号、商品投入口符号記入欄に対応した投入商品の特定する名称等を記入し、季節、商品の売れ行き等により、メモが一杯になった場合、該メモが一杯になったラベルだけをミシン目にそって切断し、個別に剥がすようにして、上述した不具合を解消することができる。    
【００２６】
また、上述した不具合は、図３及び図４に示すものと同様に、図５乃至図７記載のものでも対応することができる。
即ち、ラベル１４は複数枚積層（本実施例では、図６に示すように、５枚積層）され、複数枚積層されたラベル１４は、ベース１３に接着され、複数枚積層されたラベル１４は、ベース１３に接着されると共に、間隔をおいて複数（本実施例では、図５に示すように５個）設けられている。積層された複数枚のラベル１４は、各々容易に剥がれるように接着剤を介して接着されて積層されている。
なお、ラベル１４には、商品投入口の部位を示す符号を記入する商品投入口符号記入スペース１４Ａ（例えば、図５で言えば、番号１、２、３、４、５が付されている部分）と、この商品投入口符号記入スペース１４Ａに隣接して投入商品を特定する名称を記入する投入商品特定名称記入スペース１４ａ（例えば、図５で言えば、○○○○○が付されている部分）を備えている。
従って、ラベル１４に、商品投入口符号、商品投入口符号記入スペース１４Ａに対応した投入商品の特定する名称等を記入し、季節、商品の売れ行き等により、メモが一杯になった場合、図７に示すように、該メモが一杯になったラベル１４だけを個別に剥がすようにして、上述した不具合を解消することができる。 
【００２７】
ラベル１４を個別に剥がす際、剥がし易いように、例えば、図８に示すように、複数枚積層されたラベル１４は、隣接するラベル１４同士が略全体に亘って接着されると共に、捲り易いように一部に接着されない部分を残して形成されている、つまり、捲り易いように一部に接着されない部分、図８（ａ）で言えば、Ｌの部位、図８（ｂ）で言えば、Ｍの部位、図８（ｃ）で言えば、Ｎの部位、図８（ｄ）で言えば、Ｏの部位である。なお、図８の（ａ）〜（ｄ）の斜線部は接着剤が塗布された部分である。
また、図１７に示すように、複数枚積層されたラベル１４の一枚の形状が、第１の長辺ＡＢ、第１の短辺ＢＣ、第２の長辺ＣＤ、第２の短辺ＤＡからなる長方形の場合、Ｓ1は、積層されたラベル１４の第１の長辺ＡＢ同士が接着された  第１の接着部で、Ｓ2 は、積層されたラベル１４の第２の長辺ＣＤ同士が接着された第２の接着部で、第１の接着部Ｓ1、第２の接着部Ｓ2の内、少なくとも、第１の接着部Ｓ1に接着されない部分Ｓ0 を残して、接着されない部分Ｓ0を利用することにより捲り易くすると共に、扉を開けて商品投入作業する際、複数枚積層されたラベル１４が風等により離脱するのを防ぐようにしている。なお、第１の接着部Ｓ1、第２の接着部Ｓ2の接着剤は、例えば、膠である。
【００２８】
上述の実施例において、ラベル１４はベース１３を介して扉２の裏面又は自動販売機本体１に接着剤を介して接着したが、図９乃至図１２に示すように、ベース１３をなくし、扉２の裏面又は自動販売機本体１に接着剤を介して、直接接着するようにしても良い。
即ち、図９及び図１０においては、ベース１３を除けば、図３及び図４と同様であるので、同一部分に同一符号を付してその説明を省略する。また、図１１及び図１２においては、ベース１３を除けば、図５及び図６と同様であるので、同一部分に同一符号を付してその説明を省略する。
【００２９】
上述の実施例においては、ラベル１４に、商品投入口の部位を示す符号を記入する商品投入口符号記入スペース１４Ａと、この商品投入口符号記入スペース１４Ａに隣接して投入商品を特定する名称を記入する投入商品特定名称記入スペース１４ａとを備えるようにしたが、本考案にあってはこれに限らず、ラベル１４に、商品投入口の部位を示す符号を記入せず、ベース１３に商品投入口の部位を示す符号を記入するようにしても良い。
即ち、図１３及び図１４に示すように、ベース１３に商品投入口の部位を示す符号を、少なくとも、二つ、例えば、１、２と記入するようにしている（本実施例では、ベース１３に商品投入口の部位を示す符号を、１、２、３、４、５と５個記入している。この１、２、３、４、５は、図２の右端の商品投入口１１の上から下に向かって設けられた投入口を表している。）。
複数枚積層されたラベル１４はベース１３に接着され、このラベル１４には  、少なくとも、投入商品を特定する名称を記入する第１の投入商品特定名称記入スペース１４ａと、この第１の投入商品特定名称記入スペース１４ａに隣接し  、投入商品を特定する名称を記入する第２の投入商品特定名称記入スペース１４ｂとを備えるようにしている。本実施例では、第１の投入商品特定名称記入スペース１４ａ及び第２の投入商品特定名称記入スペース１４ｂ以外に、第２の投入商品特定名称記入スペース１４ｂに隣接し、投入商品を特定する名称を記入する第３の投入商品特定名称記入スペース１４ｃ、第３の投入商品特定名称記入スペース１４ｃに隣接し、投入商品を特定する名称を記入する第４の投入商品特定名称記入スペース１４ｄ、第４の投入商品特定名称記入スペース１４ｄに隣接し、投入商品を特定する名称を記入する第５の投入商品特定名称記入スペース１４ｅが設けられている。
また、ラベル１４の第１の投入商品特定名称記入スペース１４ａと第２の投入商品特定名称記入スペース１４ｂとの間に切離し用のミシン目Ｌ１が、ラベル１４の第２の投入商品特定名称記入スペース１４ｂと第３の投入商品特定名称記入スペース１４ｃとの間に切離し用のミシン目Ｌ２が、ラベル１４の第３の投入商品特定名称記入スペース１４ｃと第４の投入商品特定名称記入スペース１４ｄとの間に切離し用のミシン目Ｌ３が、ラベル１４の第４の投入商品特定名称記入スペース１４ｄと第５の投入商品特定名称記入スペース１４ｅとの間に切離し用のミシン目Ｌ４が、それぞれ設けられている。そして、複数枚積層されたラベル１４は、ベース１３に接着されると共に、ベース１３に記入した一つの商品投入口１１の部位を示す符号（例えば、１）に第１の投入商品特定名称記入スペース１４ａが、ベース１３に記入した他の一つの商品投入口１１の部位を示す符号（例えば、２）に第２の投入商品特定名称記入スペース１４ｂが、それぞれ隣接して設けられ、本実施例では、これ以外に、ベース１３に記入した商品投入口１１の部位を示す符号（例えば、３）に第３の投入商品特定名称記入スペース１４ｃが、ベース１３に記入した商品投入口１１の部位を示す符号（例えば、４）に第４の投入商品特定名称記入スペース１４ｄが、ベース１３に記入した商品投入口１１の部位を示す符号（例えば、５）に第５の投入商品特定名称記入スペース１４ｅが、それぞれ隣接して設けられている。
積層された複数枚のラベル１４は、各々容易に剥がれるように接着剤を介して接着されて積層されている。
【００３０】
又、図１５及び図１６に示すように、ベース１３は自動販売機本体１、例えば、商品投入口１１より下方に位置する部位１ａに接着剤を介して接着され、このベース１３には商品投入口１１の部位を示す符号（例えば、１、２、３、４、５と５個記入している。この１、２、３、４、５は、図２の右端の商品投入口１１の上から下に向かって設けられた投入口を表している。）を複数記入している。
このベース１３には複数枚積層されたラベル１４が接着されている。このラベル１４は、投入商品を特定する名称を記入する投入商品特定名称記入スペース１４ａ、１４ｂ、１４ｃ、１４ｄ、１４ｅとを備えている。
複数枚積層されたラベル１４は、ベース１３に接着されると共に、ベース１３に記入した複数の商品投入口１１の部位を示す符号毎に隣接して設けられ、つまり、商品投入口１１の部位を示す符号１に投入商品特定名称記入スペース１４ａが、商品投入口１１の部位を示す符号２に投入商品特定名称記入スペース１４ｂが、商品投入口１１の部位を示す符号３に投入商品特定名称記入スペース１４ｃが、商品投入口１１の部位を示す符号４に投入商品特定名称記入スペース１４ｄが、商品投入口１１の部位を示す符号５に投入商品特定名称記入スペース１４ｅが、隣接して設けられている。そして、積層された複数枚のラベル１４は、各々容易に剥がれるように接着剤を介して接着されて積層されている。
従って、上述した図１３乃至図１６記載のものにあっては、継続的に使用する場合、季節、商品の売れ行き等により、投入する商品の入れ替えに伴って、ラベル１４に投入商品を特定する名称を記入し、記入するスペースがなくなれば、ラベル１４を剥がしていく、そして、該ラベル１４がなくなれば、ベース１３に記入した商品投入口１１の部位を示す符号は、そのままとし、複数枚積層されたラベル１４を既設のベース１３に接着すれば良く、作業性が頗る改善される。
【００３１】
また、上述の実施例においては、ベース１３を商品投入口１１より下方に位置する部位１ａに接着剤を介して接着したが、部位１ａに限らず、ベース１３を自動販売機本体１の他の部位（部位１ａ以外の部位）でも、又、扉２の裏面に接着剤を介して接着しても良い。
【図面の簡単な説明】
【００３２】
【図１】図１は、本考案の一実施例である自動販売機の概略的正面図である。
【図２】図２は、図１の自動販売機の扉を開いた状態の概略的正面図である。
【図３】図３は、本考案の要部の概略的正面図である。
【図４】図４は、図３の４−４線による概略的断面図である。
【図５】図５は、図３記載の他の実施例の概略的正面図である。
【図６】図６は、図５の６−６線による概略的断面図である。
【図７】図７は、図５のラベルを剥がす状態を示す概略的斜視図である。
【図８】図８（ａ）〜（ｄ）は、図５のラベルの接着状態を示す概略的図である。
【図９】図９は、図３記載の他の実施例の概略的正面図である。
【図１０】図１０は、図９の１０−１０線による概略的断面図である。
【図１１】図１１は、図５記載の他の実施例の概略的正面図である。
【図１２】図１２は、図１１の１２−１２線による概略的断面図である。
【図１３】図１３は、図９記載の他の実施例の概略的正面図である。
【図１４】図１４は、図１３の１４−１４線による概略的断面図である。
【図１５】図１５は、図１１記載の他の実施例の概略的正面図である。
【図１６】図１６は、図１５の１６−１６線による概略的断面図である。
【図１７】図１７は、図８の他と実施例のラベルの接着状態を示す概略的斜視図である  。
【符号の説明】
【００３３】
Ａ…自動販売機
１…自動販売機本体
２…扉
１３…ベース
１４…ラベル
１４Ａ…商品投入口符号記入スペース
１４ａ…投入商品特定名称記入スペース
【図１】
0003111637.tif 000003
【図２】
0003111637.tif 000004
【図３】
0003111637.tif 000005
【図４】
0003111637.tif 000006
【図５】
0003111637.tif 000007
【図６】
0003111637.tif 000008
【図７】
0003111637.tif 000009
【図８】
0003111637.tif 000010
【図９】
0003111637.tif 000011
【図１０】
0003111637.tif 000012
【図１１】
0003111637.tif 000013
【図１２】
0003111637.tif 000014
【図１３】
0003111637.tif 000015
【図１４】
0003111637.tif 000016
【図１５】
0003111637.tif 000017
【図１６】
0003111637.tif 000018
【図１７】
0003111637.tif 000019